(57)【要約】【課題】輝度ムラを抑制する。【解決手段】バックライト装置１２は、ＬＥＤ１３と、外周端面のうちＬＥＤ１３と対向する部分がＬＥＤ１３の光が入射される入光端面１５Ａとされ入光端面１５Ａとは反対側の部分が入光反対端面１５Ｄとされていて、一対の板面のいずれか一方が光を出射させる出光板面１５Ｂとされる導光板１５と、導光板１５に対して出光板面１５Ｂ側に重なるよう配されて出光板面１５Ｂからの出射光に光学作用を付与する光学シート１６と、光学シート１６における外周端部１６ＥＮに設けられて出光板面１５Ｂから出射する光を遮る遮光部１９であって、外周端部１６ＥＮのうち少なくとも入光端面１５Ａ及び入光反対端面１５Ｄと外周端面に沿う周方向についての配置が一致する遮光部１９と、を備える。【選択図】図１
2019067593.tif 000002
【特許請求の範囲】
【請求項１】
光源と、
外周端面のうち前記光源と対向する部分が前記光源の光が入射される入光端面とされ前記入光端面とは反対側の部分が入光反対端面とされていて、一対の板面のいずれか一方が光を出射させる出光板面とされる導光板と、
前記導光板に対して前記出光板面側に重なるよう配されて前記出光板面からの出射光に光学作用を付与する光学シートと、
前記導光板及び前記光学シートの少なくとも一方における外周端部に設けられて前記出光板面から出射する光を遮る遮光部であって、前記外周端部のうち少なくとも前記入光端面及び前記入光反対端面と前記外周端面に沿う周方向についての配置が一致する遮光部と、を備える照明装置。
【請求項２】
前記光源は、複数が前記周方向について間隔を空けて並ぶとともに、前記入光反対端面とは非対向となるよう配される請求項１記載の照明装置。
【請求項３】
前記遮光部は、少なくとも前記入光反対端面を介して隣り合う前記入光端面の間に跨るよう前記周方向について延在する請求項２記載の照明装置。
【請求項４】
前記遮光部は、前記外周端部の全周にわたって延在する請求項３記載の照明装置。
【請求項５】
前記遮光部は、複数ずつの前記入光端面及び前記入光反対端面と前記周方向についての配置が個別に一致するよう複数設けられる請求項２記載の照明装置。
【請求項６】
複数の前記遮光部には、前記入光端面と前記周方向についての配置が一致する第１遮光部と、前記入光反対端面と前記周方向についての配置が一致する第２遮光部と、が含まれており、
前記第１遮光部は、前記光源よりも前記周方向についての形成範囲が広い請求項５記載の照明装置。
【請求項７】
前記第２遮光部は、前記第１遮光部よりも前記周方向についての形成範囲が狭い請求項６記載の照明装置。
【請求項８】
前記光学シートは、複数が重なり合って配されており、
前記遮光部は、複数の前記光学シートのうち前記導光板の最も近くに配される前記光学シートに少なくとも設けられる請求項１から請求項７のいずれか１項に記載の照明装置。
【請求項９】
前記光学シートは、複数が重なり合って配されており、
前記遮光部は、複数の前記光学シートのうち２以上の前記光学シートのそれぞれに少なくとも設けられる請求項１から請求項８のいずれか１項に記載の照明装置。
【請求項１０】
前記遮光部は、前記導光板の前記出光板面に少なくとも設けられている請求項１から請求項９のいずれか１項に記載の照明装置。
【請求項１１】
請求項１から請求項１０のいずれか１項に記載の照明装置と、
前記照明装置から照射される光を利用して画像を表示する表示パネルと、を備える表示装置。
【請求項１２】
前記表示パネルは、少なくとも自身の外周端部に配されて光を遮るパネル側遮光部を有しており、
前記パネル側遮光部は、前記遮光部に比べて内端位置がより内寄りに配される請求項１１記載の表示装置。
【発明の詳細な説明】
【技術分野】
【０００１】
本発明は、照明装置及び表示装置に関する。
【背景技術】
【０００２】
従来、液晶表示装置に備わる照明装置の一例として下記の特許文献１に記載されたものが知られている。この特許文献１に記載された照明装置は、光源と、導光部材と、を備え、光源から発せられる光が導光部材の光入射部から入射するとともに導光部材の光出射部から出射して被照明部材を照明する照明装置において、導光部材を略円形状とし、光源を複数備え、複数の光源から出た光の出射方向が全て交わるように光源を導光部材の周縁に配設したものである。
【先行技術文献】
【特許文献】
【０００３】
【特許文献１】特開２００９−１９９９７１号公報
【発明の概要】
【発明が解決しようとする課題】
【０００４】
上記した特許文献１に記載された照明装置では、導光部材の光出射部から出射する出射光量は、光入射部付近や光入射部に対して中心を挟んだ反対側部分付近において局所的に多くなる傾向にある。このため、光出射部からの出射光量にムラが生じることが懸念される。このような輝度ムラは、照明装置からの光を利用して表示を行う液晶パネルの狭額縁化が進行すると、より視認され易くなる傾向にある。
【０００５】
本発明は上記のような事情に基づいて完成されたものであって、輝度ムラを抑制することを目的とする。
【課題を解決するための手段】
【０００６】
本発明の照明装置は、光源と、外周端面のうち前記光源と対向する部分が前記光源の光が入射される入光端面とされ前記入光端面とは反対側の部分が入光反対端面とされていて、一対の板面のいずれか一方が光を出射させる出光板面とされる導光板と、前記導光板に対して前記出光板面側に重なるよう配されて前記出光板面からの出射光に光学作用を付与する光学シートと、前記導光板及び前記光学シートの少なくとも一方における外周端部に設けられて前記出光板面から出射する光を遮る遮光部であって、前記外周端部のうち少なくとも前記入光端面及び前記入光反対端面と前記外周端面に沿う周方向についての配置が一致する遮光部と、を備える。
【０００７】
光源から発せられた光は、導光板の入光端面に入射すると、導光板内を伝播された後に出光板面から出射される。出光板面からの出射光には、光学シートによって光学作用が付与される。ここで、導光板内の光は、導光板における入光端面付近に特に多く存在しているため、出光板面のうちの入光端面付近からは出射光量が局所的に多くなりがちであり、明部として視認されるおそれがある。一方、導光板の入光反対端面には、入光端面に入射した光のうち直線的に進行する多くの光が到達し、そのうちの多くが入光反対端面から漏れ出す。この漏れ光は、外部の部材などによって反射されるなどして再び入光反対端面に入射してすぐに出光板面から出射する。このため、出光板面のうち入光反対端面付近からは出射光量が局所的に多くなりがちであり、明部として視認されるおそれがある。
【０００８】
これに対し、導光板及び光学シートの少なくとも一方における外周端部には、出光板面から出射する光を遮る遮光部が設けられている。遮光部は、導光板及び光学シートの少なくとも一方における外周端部のうち少なくとも入光端面及び入光反対端面と外周端面に沿う周方向についての配置が一致する。従って、上記のように導光板の出光板面のうち、入光端面付近や入光反対端面付近からの出射光量が局所的に多くなっていても、その光を遮光部により遮ることができる。これにより、当該照明装置の出射光量にムラが生じ難くなり、明部が視認され難くなる。
【発明の効果】
【０００９】
本発明によれば、輝度ムラを抑制することができる。
【図面の簡単な説明】
【００１０】
【図１】本発明の実施形態１に係る液晶表示装置の断面図
【図２】液晶表示装置を構成するバックライト装置の平面図
【図３】本発明の実施形態２に係る液晶表示装置の断面図
【図４】本発明の実施形態３に係る液晶表示装置の断面図
【図５】本発明の実施形態４に係る液晶表示装置の断面図
【図６】本発明の実施形態５に係る液晶表示装置の断面図
【図７】本発明の実施形態６に係るバックライト装置の平面図
【図８】本発明の実施形態７に係るバックライト装置の平面図
【発明を実施するための形態】
【００１１】
＜実施形態１＞
本発明の実施形態１を図１または図２によって説明する。本実施形態では、液晶表示装置（表示装置）１０について例示する。なお、各図面の一部にはＸ軸、Ｙ軸及びＺ軸を示しており、各軸方向が各図面で示した方向となるように描かれている。また、上下方向については、図１を基準とし、且つ同図上側を表側とするとともに同図下側を裏側とする。
【００１２】
図１は、液晶表示装置１０の断面図である。液晶表示装置１０は、図１に示すように、画像を表示可能な液晶パネル（表示パネル）１１を有する。液晶表示装置１０は、液晶パネル１１に対して裏側に重なるよう配されて液晶パネル１１に表示のための光を照射するバックライト装置（照明装置）１２を有する。液晶表示装置１０は、例えばスマートウォッチなどのウェアラブル端末（図示せず）に用いられるのが好ましいが、必ずしもその限りではない。
【００１３】
まず、液晶パネル１１について説明する。液晶パネル１１は、図１に示すように、ほぼ透明で優れた透光性を有するガラス製の一対の基板１１Ａ，１１Ｂを有する。一対の基板１１Ａ，１１Ｂのうち表側（正面側）がＣＦ基板１１Ａとされ、裏側（背面側）がアレイ基板１１Ｂとされる。両基板１１Ａ，１１Ｂの外面側には、一対の偏光板１１Ｃが貼り付けられている。また、液晶パネル１１は、両基板１１Ａ，１１Ｂ間に挟持されて電界印加に伴って光学特性が変化する物質である液晶分子を含む液晶層と、液晶層を取り囲んで液晶層をシールするシール部（液晶層共々図示せず）と、を有する。
【００１４】
次に、液晶パネル１１の内部構造について簡単に説明するが、内部構造に係る各種構造物の図示はパネル側遮光部１１Ｄの一部を除いて省略する。アレイ基板１１Ｂの内面側には、スイッチング素子であるＴＦＴ（Thin Film Transistor）及び画素電極が多数個マトリクス状（行列状）に並んで設けられる。アレイ基板１１Ｂの内面側には、ＴＦＴ及び画素電極の周りに格子状をなすゲート配線及びソース配線が取り囲むようにして配設されている。ゲート配線及びソース配線には、画像に係る信号がそれぞれ伝送される。一方、ＣＦ基板１１Ａの内面側には、各画素電極に対応した位置に多数個のカラーフィルタが設けられている。カラーフィルタは、Ｒ，Ｇ，Ｂの三色が交互に並ぶ配置とされる。ＣＦ基板１１Ａの内面側には、隣り合うカラーフィルタ間の混色を防ぐなどのためにパネル側遮光部（ブラックマトリクス）１１Ｄが設けられている。パネル側遮光部１１Ｄは、詳しい図示は省略するが、液晶パネル１１における表示領域である中央側部分では、隣り合うカラーフィルタ間を仕切るよう格子状に形成されている。これに対し、パネル側遮光部１１Ｄは、図１に示すように、液晶パネル１１における非表示領域である外周端部１１ＥＮではベタ状に形成されている。図１では、パネル側遮光部１１ＤをＣＦ基板１１Ａの内面側に描いた太線により表している。ＣＦ基板１１Ａの内面側には、各画素電極と対向状をなす対向電極が設けられている。また、両基板１１Ａ，１１Ｂの内面側には、液晶層に含まれる液晶分子を配向させるための配向膜がそれぞれ形成されている。
【００１５】
次に、バックライト装置１２について説明する。バックライト装置１２は、図１に示すように、光源であるＬＥＤ（Light Emitting Diode：発光ダイオード）１３と、ＬＥＤ１３が実装されたＬＥＤ基板（光源基板）１４と、を有する。バックライト装置１２は、ＬＥＤ１３からの光を導光する導光板１５と、導光板１５の表側に積層配置される光学シート（光学部材）１６と、導光板１５の裏側に積層配置される反射シート（反射部材）１７と、を有する。バックライト装置１２は、ＬＥＤ１３、導光板１５及び光学シート１６などを取り囲む枠状のフレーム（枠状部材）１８を有する。このようにバックライト装置１２は、ＬＥＤ１３からの点状の光を導光板１５などによって面状の光に変換して液晶パネル１１に照射するエッジライト型（サイドライト型）とされる。続いて、バックライト装置１２の各構成部品について詳しく説明する。
【００１６】
ＬＥＤ１３は、図１に示すように、ＬＥＤ基板１４に固着される基板部上にＬＥＤチップを封止材により封止した構成とされる。ＬＥＤ１３は、ＬＥＤチップが例えば青色光を単色発光するものとされ、封止材に蛍光体（黄色蛍光体、緑色蛍光体、赤色蛍光体など）が分散配合されることで全体として白色光を発する。ＬＥＤ１３は、ＬＥＤ基板１４に実装される面に隣接する面が発光面１３Ａとなる、いわゆる側面発光型とされている。ＬＥＤ基板１４は、反射シート１７に対して裏側に配される。ＬＥＤ基板１４における表側の面には、ＬＥＤ１３が表面実装されるとともに、ＬＥＤ１３に対して給電するための配線（図示せず）がパターニングされている。
【００１７】
導光板１５は、ほぼ透明な合成樹脂材料（例えばＰＭＭＡなどのアクリル樹脂やポリカーボネートなど）とされ、屈折率が空気よりも十分に高くなっている。導光板１５は、図１に示すように、液晶パネル１１及び光学シート１６の直下位置に配される。導光板１５は、その外周端面の一部が、ＬＥＤ１３と対向していてＬＥＤ１３からの光が入射される入光端面（光源対向端面）１５Ａとされる。また、導光板１５の外周端面のうち、入光端面１５Ａとは反対側の部分が、入光反対端面１５Ｄとされる。導光板１５は、表裏一対の板面のうち、表側（液晶パネル１１側）を向いた板面が、光を液晶パネル１１に向けて出射させる出光板面１５Ｂとされ、裏側を向いた板面が出光板面１５Ｂとは反対側の出光反対板面１５Ｃとされる。導光板１５は、ＬＥＤ１３から発せられた光を入光端面１５Ａから導入し、内部を伝播させた後にＺ軸方向に沿って立ち上げて出光板面１５Ｂから光学シート１６及び液晶パネル１１側（表側、光出射側）へ向けて出射させる。
【００１８】
光学シート１６は、図１に示すように、導光板１５に対して出光板面１５Ｂ側に重なるよう配される。光学シート１６は、液晶パネル１１と導光板１５との間に介在する形で配されており、導光板１５からの出射光に所定の光学作用を付与しつつ液晶パネル１１に向けて出射させる。光学シート１６は、複数が重なり合って配されている。具体的には、本実施形態に係る光学シート１６は、裏側から順に、拡散シート１６Ａ、第１プリズムシート１６Ｂ、第２プリズムシート１６Ｃの３枚からなる。拡散シート１６Ａは、ほぼ透明な合成樹脂製の基材内に拡散粒子を多数分散して設けた構成とされ、透過する光を拡散させる機能を有する。第１プリズムシート１６Ｂ及び第２プリズムシート１６Ｃは、いずれも一方向に沿って延在するプリズム（図示せず）が、ほぼ透明な合成樹脂製の基材の板面上に多数並んで設けられた構成とされ、プリズムの並び方向について選択的に集光作用を発揮する。第１プリズムシート１６Ｂ及び第２プリズムシート１６Ｃは、互いのプリズムが直交するよう配置されている。また、光学シート１６は、外周端面が導光板１５の外周端面とほぼ面一状とされる。
【００１９】
反射シート１７は、図１に示すように、導光板１５の出光反対板面１５Ｃを覆う形で配される。反射シート１７は、光反射性に優れており、導光板１５の出光反対板面１５Ｃから漏れた光を表側（出光板面１５Ｂ側）に向けて効率的に立ち上げることができる。また、反射シート１７は、外周端面が導光板１５の外周端面とほぼ面一状とされる。フレーム１８は、表面が白色を呈する合成樹脂製（例えばポリカーボネート製）とされており、導光板１５よりも一回り大きな枠状をなす。フレーム１８は、ＬＥＤ１３及び導光板１５などを一括して取り囲む形で配されている。
【００２０】
続いて、バックライト装置１２の平面構成について図２を用いて説明する。図２は、バックライト装置１２の平面図である。バックライト装置１２は、図２に示すように、平面に視た外形が略円形状とされる。なお、図示は省略するが、液晶パネル１１の平面に視た外形も同様に略円形状とされる。これに伴い、バックライト装置１２を構成するＬＥＤ基板１４、導光板１５、光学シート１６、反射シート１７及びフレーム１８は、それぞれの平面に視た外形が略円形状とされる。このうち、ＬＥＤ基板１４及びフレーム１８は、それぞれ中央側が開口していて全体として平面に視て略円環状をなしている。ＬＥＤ基板１４には、複数（本実施形態では７個）のＬＥＤ１３がＬＥＤ基板１４の延在方向（周方向）について間隔を空けて並んで配されている。複数のＬＥＤ１３は、導光板１５を全周にわたって取り囲む形で配されていて、各発光面１３Ａが導光板１５の中心１５ＣＥを指向するよう配される。なお、図２には、ＬＥＤ１３の発光面１３Ａの中央を通り且つ導光板１５の中心１５ＣＥを通る直線を一点鎖線により表している。この直線は、導光板１５の入光端面１５Ａ及び入光反対端面１５Ｄにおける周方向についての各中央を通ることになる。隣り合うＬＥＤ１３の間隔は、ほぼ等しくなっており、具体的には約５１．４°の角度間隔を空けた配置（等角度間隔配置）とされる。そして、複数のＬＥＤ１３は、導光板１５の入光反対端面１５Ｄとは非対向となるよう配されている。従って、導光板１５の外周端面には、入光端面１５Ａと入光反対端面１５Ｄとが、外周端面に沿う周方向について一定の間隔を空けて交互に並ぶ配置とされる。入光端面１５Ａ及び入光反対端面１５Ｄは、互いに周方向について不一致の配置であり、導光板１５の外周端面においてＬＥＤ１３の設置数と同数ずつ配されている。周方向について隣り合う入光端面１５Ａと入光反対端面１５Ｄとの間の角度間隔は、周方向について隣り合うＬＥＤ１３の間の角度間隔の１／２とされる。
【００２１】
上記のような構成のバックライト装置１２では、図１及び図２に示すように、ＬＥＤ１３から発せられた光は、導光板１５の入光端面１５Ａに入射すると、導光板１５内を伝播された後に出光板面１５Ｂから出射される。出光板面１５Ｂからの出射光には、光学シート１６によって光学作用が付与される。ここで、導光板１５内の光は、導光板１５における入光端面１５Ａ付近に特に多く存在しているため、出光板面１５Ｂのうちの入光端面１５Ａ付近からは出射光量が局所的に多くなりがちであり、明部として視認されるおそれがある。一方、導光板１５の入光反対端面１５Ｄには、入光端面１５Ａに入射した光のうち直線的に進行する多くの光が到達し、そのうちの多くが入光反対端面１５Ｄから漏れ出す。この漏れ光は、導光板１５の外部に配されたフレーム１８によって反射されるなどして再び入光反対端面１５Ｄに入射してすぐに出光板面１５Ｂから出射する。このため、出光板面１５Ｂのうち入光反対端面１５Ｄ付近からは出射光量が局所的に多くなりがちであり、明部として視認されるおそれがある。特に本実施形態では、導光板１５の外周端面において入光端面１５Ａと入光反対端面１５Ｄとが不一致の配置となっている。このような配置では、入光端面１５Ａの数と入光反対端面１５Ｄの数とがそれぞれＬＥＤ１３の設置数と同数ずつとなるため、仮に入光端面１５Ａと入光反対端面１５Ｄとが一致する配置に比べると、入光端面１５Ａ及び入光反対端面１５Ｄに起因して生じ得る明部の数が二倍になる。
【００２２】
そこで、本実施形態に係るバックライト装置１２を構成する導光板１５及び光学シート１６のうちの光学シート１６には、図１及び図２に示すように、導光板１５の出光板面１５Ｂから出射する光を遮る遮光部１９が設けられている。以下では、遮光部１９に関して図１及び図２を適宜に用いて説明する。図１では、遮光部１９を拡散シート１６Ａの内面側に描いた太線により表しており、図２では、遮光部１９を網掛け状にして表している。遮光部１９は、光学シート１６における外周端部１６ＥＮに設けられている。そして、遮光部１９は、光学シート１６の外周端部１６ＥＮのうち少なくとも入光端面１５Ａ及び入光反対端面１５Ｄと外周端面に沿う周方向についての配置が一致するよう配されている。このようにすれば、上記のように導光板１５の出光板面１５Ｂのうち、入光端面１５Ａ付近や入光反対端面１５Ｄ付近からの出射光量が局所的に多くなっていても、その光を遮光部１９により遮ることができる。これにより、当該バックライト装置１２の出射光量にムラが生じ難くなり、明部が視認され難くなる。特に本実施形態では、入光端面１５Ａ及び入光反対端面１５Ｄに起因して生じ得る明部の数が多くなっているものの、遮光部１９によって入光端面１５Ａ及び入光反対端面１５Ｄに起因して生じ得る明部が視認され難くされることで、輝度ムラの発生を効果的に抑制することができる。
【００２３】
遮光部１９について詳しく説明する。遮光部１９は、図１に示すように、複数の光学シート１６のうち導光板１５の最も近くに配される光学シート１６である拡散シート１６Ａに選択的に設けられている。このようにすれば、導光板１５の出光板面１５Ｂから出射する光を、導光板１５の最も近くに配される光学シート１６である拡散シート１６Ａに設けられる遮光部１９によって遮ることができる。これにより、仮に複数の光学シート１６のうち、導光板１５に最も近い光学シート１６である拡散シート１６Ａ以外の光学シート１６である第１プリズムシート１６Ｂや第２プリズムシート１６Ｃに遮光部を設けるようにした場合に比べると、明部が視認され難くなる。また、遮光部１９は、拡散シート１６Ａの外周端部１６ＥＮにおける裏側の板面に対して例えば光の吸収性に優れた黒色を呈するインクなどを印刷することで形成されている。遮光部１９は、導光板１５の外周端部１５ＥＮに対して平面に視て重畳するよう配されている。遮光部１９は、液晶パネル１１の外周端部１１ＥＮ及びそこに配されたパネル側遮光部１１Ｄに対して平面に視て重畳するよう配されている。
【００２４】
遮光部１９は、図２に示すように、少なくとも入光反対端面１５Ｄを介して隣り合う入光端面１５Ａの間に跨るよう周方向について延在する形で配されている。遮光部１９は、入光端面１５Ａを介して隣り合う入光反対端面１５Ｄの間に跨るよう周方向について延在する形で配されている、とも言える。このようにすれば、仮に遮光部が複数ずつの入光端面１５Ａ及び入光反対端面１５Ｄと周方向についての配置が個別に一致するよう複数設けられた場合に比べると、遮光量が多くなる。それに加えて、入光端面１５Ａ及び入光反対端面１５Ｄに対する周方向についての遮光部１９の配置が一致する確実性が高くなるので、遮光の確実性が高く、明部が視認され難くなる確実性が高くなる。さらには、遮光部１９は、外周端部１６ＥＮの全周にわたって延在する形で配されている。このようにすれば、仮に遮光部を周方向について複数に分割した場合に比べると、遮光量がより多くなる。それに加えて、入光端面１５Ａ及び入光反対端面１５Ｄに対する周方向についての遮光部１９の配置が一致する確実性がより高くなるので、遮光の確実性がより高く、明部が視認され難くなる確実性がより高くなる。しかも、導光板１５や光学シート１６に対する遮光部１９の設置が容易になるとともに、入光端面１５Ａ及び入光反対端面１５Ｄに対する遮光部１９の周方向についての位置合わせが不要となり、生産性に優れる。
【００２５】
本実施形態に係る液晶表示装置１０は、上記したバックライト装置１２と、バックライト装置１２から照射される光を利用して画像を表示する液晶パネル（表示パネル）１１と、を備える。このような構成の液晶表示装置１０によれば、バックライト装置１２の出射光の輝度ムラが抑制されているから、優れた表示品位が得られる。
【００２６】
液晶パネル１１は、少なくとも自身の外周端部１１ＥＮに配されて光を遮るパネル側遮光部１１Ｄを有しており、パネル側遮光部１１Ｄは、遮光部１９に比べて内端位置がより内寄り（導光板１５の中心１５ＣＥ寄り）に配される。このようにすれば、パネル側遮光部１１Ｄにより遮光部１９が、当該液晶表示装置１０の使用者によって直接視認されるのを防ぐことができる。
【００２７】
＜実施形態２＞
本発明の実施形態２を図３によって説明する。この実施形態２では、遮光部１１９の設置対象を変更したものを示す。なお、上記した実施形態１と同様の構造、作用及び効果について重複する説明は省略する。
【００２８】
図３は、液晶表示装置１１０の断面図である。本実施形態に係る遮光部１１９は、図３に示すように、３枚の光学シート１１６のうち、中間に配される第１プリズムシート１１６Ｂの外周端部１１６ＥＮにおける裏側の板面に印刷して設けられている。
【００２９】
＜実施形態３＞
本発明の実施形態３を図４によって説明する。この実施形態３では、上記した実施形態１から遮光部２１９の設置数を変更したものを示す。なお、上記した実施形態１と同様の構造、作用及び効果について重複する説明は省略する。
【００３０】
図４は、液晶表示装置２１０の断面図である。本実施形態に係る遮光部２１９は、図４に示すように、３枚の光学シート２１６のうち、２枚の光学シート２１６のそれぞれに設けられている。具体的には、遮光部２１９は、拡散シート２１６Ａ及び第１プリズムシート２１６Ｂの各外周端部２１６ＥＮにおける裏側の板面にそれぞれ印刷して設けられている。第１プリズムシート２１６Ｂの外周端部２１６ＥＮに設けられた遮光部２１９は、拡散シート２１６Ａの外周端部２１６ＥＮに設けられた遮光部２１９よりも内端位置がより内寄りになるよう形成範囲が相対的に広くされている。このようにすれば、仮に導光板２１５に近い光学シート２１６である拡散シート２１６Ａに設けられる遮光部２１９に遮光漏れが生じたとしても、導光板２１５から遠い光学シート２１６である第１プリズムシート２１６Ｂに設けられる遮光部２１９によって漏れ光を遮ることができる。これにより、遮光の確実性が高くなるので、明部が視認され難くなる確実性が高くなる。
【００３１】
＜実施形態４＞
本発明の実施形態４を図５によって説明する。この実施形態４では、上記した実施形態１から遮光部３１９の設置対象を変更したものを示す。なお、上記した実施形態１と同様の構造、作用及び効果について重複する説明は省略する。
【００３２】
図５は、液晶表示装置３１０の断面図である。本実施形態に係る遮光部３１９は、図５に示すように、導光板３１５の外周端部３１５ＥＮにおける出光板面３１５Ｂに印刷して設けられている。このようにすれば、導光板３１５の出光板面３１５Ｂから出射する光を、導光板３１５の出光板面３１５Ｂに設けられる遮光部３１９によって遮ることができる。これにより、仮に光学シート３１６のみに遮光部を設けるようにした場合に比べると、暗部が視認され難くなる。
【００３３】
＜実施形態５＞
本発明の実施形態５を図６によって説明する。この実施形態５では、上記した実施形態１から遮光部４１９の形成方法及び設置対象を変更したものを示す。なお、上記した実施形態１と同様の構造、作用及び効果について重複する説明は省略する。
【００３４】
図６は、液晶表示装置４１０の断面図である。本実施形態に係る遮光部４１９は、図６に示すように、３枚の光学シート４１６のうち、最も表側（最も導光板４１５から遠く）に配される第２プリズムシート４１６Ｃの外周端部４１６ＥＮに設けられている。遮光部４１９は、第２プリズムシート４１６Ｃの外周端部４１６ＥＮにおける表側の板面に対して貼り付けられるテープ部材からなる。テープ部材は、光に吸収性に優れた黒色を呈しており、第２プリズムシート４１６Ｃに対する貼り付け面に貼り付けのための粘着剤が塗布されている。
【００３５】
＜実施形態６＞
本発明の実施形態６を図７によって説明する。この実施形態６では、上記した実施形態１から遮光部５１９の形成範囲を変更したものを示す。なお、上記した実施形態１と同様の構造、作用及び効果について重複する説明は省略する。
【００３６】
図７は、バックライト装置５１２の平面図である。本実施形態に係る遮光部５１９は、図７に示すように、周方向について複数に分割されている。詳しくは、遮光部５１９は、導光板５１５の外周端面において複数ずつ配された入光端面５１５Ａ及び入光反対端面５１５Ｄと周方向についての配置が個別に一致するよう複数設けられている。従って、遮光部５１９の設置数は、導光板５１５の外周端面における入光端面５１５Ａの数と、入光反対端面５１５Ｄの数と、を足し合わせた値となる。複数の遮光部５１９は、光学シート５１６の外周端部５１６ＥＮにおいて周方向について等角度間隔でもって間欠的に配されている。各遮光部５１９は、周方向についての中央位置が、各入光端面５１５Ａ及び各入光反対端面５１５Ｄにおける周方向についての中央位置と一致するよう配されている。このようにすれば、上記した実施形態１のように、遮光部１９が入光反対端面１５Ｄを介して隣り合う入光端面１５Ａの間に跨るよう周方向について延在する場合（図２を参照）に比べると、遮光量が少なくなる。これにより、当該バックライト装置５１２の出射光量が多くなり、遮光部５１９に起因する輝度低下が抑制される。
【００３７】
複数の遮光部５１９には、入光端面５１５Ａと周方向についての配置が一致する第１遮光部５１９αと、入光反対端面５１５Ｄと周方向についての配置が一致する第２遮光部５１９βと、が含まれている。このうち、第１遮光部５１９αは、ＬＥＤ５１３よりも周方向についての形成範囲が広い。このようにすれば、第１遮光部５１９αによって導光板５１５の出光板面（本実施形態では図示せず）のうち、入光端面５１５Ａ付近から出射する光を周方向についてより広範囲にわたって遮ることができる。これにより、入光端面５１５Ａ付近に生じ得る明部がより視認され難くなる。これに対し、第２遮光部５１９βは、第１遮光部５１９αよりも周方向についての形成範囲が狭い。このようにすれば、第２遮光部５１９βによる遮光量が第１遮光部５１９αによる遮光量よりも少なくなるので、輝度低下を好適に抑制することができる。導光板５１５の出光板面のうち、入光反対端面５１５Ｄ付近では入光端面５１５Ａ付近に比べると出射光量が少なくなりがちとされる。従って、第２遮光部５１９βが第１遮光部５１９αよりも周方向についての形成範囲が狭くても、入光反対端面５１５Ｄ付近に生じ得る明部を十分に視認し難くすることができる。
【００３８】
＜実施形態７＞
本発明の実施形態７を図８によって説明する。この実施形態７では、上記した実施形態１からバックライト装置６１２の平面形状を変更したものを示す。なお、上記した実施形態１と同様の構造、作用及び効果について重複する説明は省略する。
【００３９】
図８は、バックライト装置６１２の平面図である。本実施形態に係るバックライト装置６１２は、図８に示すように、平面に視て略楕円形状とされる。詳しくは、バックライト装置６１２は、長軸方向がＸ軸方向と、短軸方向がＹ軸方向と、一致する略楕円形の平面形状を有しており、自身の各構成部品も同様の平面形状とされる。複数のＬＥＤ６１３は、略楕円形状をなす導光板６１６に対して短軸方向（Ｙ軸方向）について片側のみに偏在する形で配されている。具体的には、例えば導光板６１５の外周端面を、中心６１５ＣＥを通る長軸によって２つに分割したとき、ＬＥＤ６１３は、導光板６１５の外周端面における一方の片側部分のみと対向するよう、５個が間隔を空けて配されている。従って、導光板６１５の外周端面のうち、上記一方の片側部分に５個の入光端面６１５Ａが間隔を空けて配されるのに対し、他方の片側部分に５個の入光反対端面６１５Ｄが間隔を空けて配される。遮光部６１９は、略楕円形状とされる光学シート６１６の外周端部６１６ＥＮの全周にわたって延在するよう設けられている。遮光部６１９は、平面に視て略楕円環状をなしている。
【００４０】
＜他の実施形態＞
本発明は上記記述及び図面によって説明した実施形態に限定されるものではなく、例えば次のような実施形態も本発明の技術的範囲に含まれる。
（１）上記した実施形態１〜５，７では、遮光部が光学シートや導光板の全周にわたって延在するよう設けられる場合を示したが、遮光部が複数に分割されていても構わない。その場合でも、遮光部は、入光反対端面を介して隣り合う入光端面の間に跨るよう周方向について延在するのが好ましい。それ以外にも、遮光部は、入光端面を介して隣り合う入光反対端面の間に跨るよう周方向について延在しても構わない。
（２）上記した実施形態１〜３，６，７では、遮光部が光学シートの外周端部における裏側の板面に印刷して設けられる場合を示したが、遮光部が光学シートの外周端部における表側の板面に印刷して設けられていても構わない。
（３）上記した各実施形態では、遮光部が光学シートや導光板に対して印刷またはテープ部材の貼り付けによって設けられる場合を示したが、それ以外の手法（例えば遮光塗料の塗布など）によって遮光部を光学シートや導光板に設けることも可能である。
（４）上記した各実施形態では、遮光部が光学シートと導光板とのうちのいずれか一方のみに設けられた場合を示したが、遮光部を光学シート及び導光板の双方に設けることも可能である。
（５）上記した各実施形態では、複数の光源が入光反対端面とは非対向となるよう配される場合を示したが、複数の光源が入光反対端面とは対向するよう配されていても構わない。
（６）上記した実施形態２では、遮光部を第１プリズムシートの外周端部に印刷して設けた場合を示したが、遮光部を第２プリズムシートの外周端部に印刷して設けることも可能である。
（７）上記した実施形態３では、異なる光学シートに設けられた複数の遮光部の内端位置が異なる配置とされる場合を示したが、異なる光学シートに設けられた複数の遮光部の内端位置が面一状に揃っていても構わない。また、導光板に近い光学シートに設けられた遮光部の内端位置が、導光板から遠い光学シートに設けられた遮光部の内端位置より内寄りの配置であっても構わない。
（８）上記した実施形態３では、拡散シート及び第１プリズムシートの各外周端部に遮光部を設けた場合を示したが、第１プリズムシート及び第２プリズムシートの各外周端部に遮光部を設けたり、拡散シート及び第２プリズムシートの各外周端部に遮光部を設けたりすることが可能である。
（９）上記した実施形態５では、テープ部材からなる遮光部が第２プリズムシートの外周端部における表側の板面に貼り付けられた場合を示したが、テープ部材からなる遮光部を第２プリズムシートの外周端部における裏側の板面に貼り付けることも可能である。また、テープ部材からなる遮光部を拡散シートや第１プリズムシートにおける外周端部の表側または裏側の板面に貼り付けることも可能である。さらには、テープ部材からなる遮光部を導光板の外周端部における出光板面に貼り付けることも可能である。
（１０）上記した実施形態６では、遮光部が複数ずつの入光端面及び入光反対端面と周方向についての配置が個別に一致するよう複数設けられる構成を示したが、遮光部が各入光端面及び各入光反対端面と個別には一致しない構成であっても構わない。例えば周方向について隣り合う第１遮光部と第２遮光部とを連ねるなどし、遮光部の設置数が入光端面及び入光反対端面の数の総和より少なくすることも可能である。
（１１）上記した実施形態６では、第１遮光部がＬＥＤより幅広に形成された場合を示したが、第１遮光部がＬＥＤと同一幅であってもよく、また第１遮光部がＬＥＤより幅狭であっても構わない。同様に、第２遮光部は、第１遮光部と同一幅であってもよく、第１遮光部より幅広であっても構わない。
（１２）上記した実施形態６では、各遮光部が各入光端面及び各入光反対端面と周方向についての中央位置が一致する配置を示したが、各遮光部が各入光端面及び各入光反対端面と周方向についての中央位置が不一致となる配置であっても構わない。
（１３）上記した実施形態６では、周方向について間隔を空けて並ぶ複数の遮光部が、拡散シートの外周端部に設けられた場合を示したが、周方向について間隔を空けて並ぶ複数の遮光部を、拡散シート以外の光学シート（第１プリズムシートや第２プリズムシート）や導光板に設けることも可能である。また、周方向について間隔を空けて並ぶ複数の遮光部を、複数の光学シートに設けることも可能である。
（１４）上記した各実施形態では、導光板の入光反対端面から漏れ出した光が、導光板に対して外側に配されるフレームによって反射されて入光反対端面に戻される場合を説明したが、例えば導光板の入光反対端面に対して反射部材を取り付ける構成を採った場合には、入光反対端面から漏れ出そうとする光が反射部材によって反射されて入光反対端面に戻されることになる。
（１５）上記した各実施形態では、導光板、光学シート及び反射シートの各外周端面が面一状とされる場合を示したが、導光板、光学シート及び反射シートの各外周端面の全てまたは一部が面一とはならない構成であっても構わない。同様に、複数の光学シートの各外周端面の全てまたは一部が面一とはならない構成であっても構わない。
（１６）上記した各実施形態では、バックライト装置の外形が円形または楕円形とされる場合を示したが、バックライト装置の外形が円形や楕円形以外の非矩形状（異形状）であっても構わない。非矩形状の一例としては、半円形、扇形、台形などが挙げられる。また、バックライト装置の外形は、正方形や長方形などの矩形状であっても構わない。
（１７）上記した各実施形態以外にも、ＬＥＤの設置数は適宜に変更可能である。その場合でも、ＬＥＤの設置数を奇数とし、且つ等角度間隔でもって配置すれば、ＬＥＤが入光反対端面とは非対向の配置となる。なお、ＬＥＤの設置数は偶数であっても勿論構わない。
（１８）上記した各実施形態では、複数のＬＥＤが等角度間隔で配される場合を示したが、複数のＬＥＤが非等角度間隔でもって配されてもよい。
（１９）上記した各実施形態以外にも、光学シートの具体的な設置枚数・種類・積層順などは適宜に変更可能である。
（２０）上記した各実施形態では、透過型の液晶パネルを備える液晶表示装置を示したが、半透過型の液晶パネルを備える液晶表示装置であっても構わない。
（２１）上記した各実施形態では、表示パネルとして液晶パネルを用いた場合を示したが、ＭＥＭＳ（Micro Electro Mechanical Systems）表示パネルを用いることも可能である。
（２２）上記した各実施形態では、ウェアラブル端末に用いる液晶表示装置を示したが、ヘッドマウントディスプレイやヘッドアップディスプレイなどに用いる液晶表示装置であってもよい。それ以外にも、車載型端末（カーナビゲーションシステム）に用いる液晶表示装置やレーダ探知機に用いる液晶表示装置や自動車などのメータ表示に用いる液晶表示装置であっても構わない。
【符号の説明】
【００４１】
１０，１１０，２１０，３１０，４１０…液晶表示装置（表示装置）、１１…液晶パネル（表示パネル）、１１Ｄ…パネル側遮光部、１１ＥＮ…外周端部、１２，５１２，６１２…バックライト装置（照明装置）、１３，５１３，６１３…ＬＥＤ（光源）、１５，２１５，３１５，４１５，５１５，６１５…導光板、１５Ａ，５１５Ａ，６１５Ａ…入光端面、１５Ｂ，３１５Ｂ…出光板面、１５Ｄ，５１５Ｄ，６１５Ｄ…入光反対端面、１５ＥＮ，３１５ＥＮ…外周端部、１６，１１６，２１６，３１６，４１６，５１６，６１６…光学シート、１６ＥＮ，１１６ＥＮ，２１６ＥＮ，４１６ＥＮ，５１６ＥＮ，６１６ＥＮ…外周端部、１９，１１９，２１９，３１９，４１９，５１９，６１９…遮光部、５１９α…第１遮光部、５１９β…第２遮光部
【図１】
2019067593.tif 000003
【図２】
2019067593.tif 000004
【図３】
2019067593.tif 000005
【図４】
2019067593.tif 000006
【図５】
2019067593.tif 000007
【図６】
2019067593.tif 000008
【図７】
2019067593.tif 000009
【図８】
2019067593.tif 000010